【事件の表示】
　平成　６年特許願第　１３０７２号「ギターピックアップ装置」拒絶査定不服審判事件〔平成　７年１２月　８日出願公開、特開平　７−３１９４６９〕について、次のとおり審決する。
【結　論】
　本件審判の請求は、成り立たない。
【理　由】
１　本願発明
　本願は、平成６年１月１２日の出願（パリ条約による優先権主張　１９９３年１月１５日　米国（ＵＳ））であって、本願の請求項１ないし３に係る発明は、その請求項１ないし３にそれぞれ記載されたとおりのものと認められるところ、その請求項１に係る発明（以下、「本願発明」という）は、平成１６年３月８日付けの手続補正書により補正された明細書および図面の記載からみて、特許請求の範囲の請求項１に記載された次のとおりのものである。
「　デュアルコイルブリッジハムバッカーピックアップと、
　中間ピックアップと、
　デュアルコイル指板ハムバッカーピックアップと、
　所望のピックアップ構成体を選択することにより所望の調性信号を選択する第１のスイッチ手段とを備え、該第１のスイッチ手段は前記ブリッジハムバッカーピックアップ、前記中間ピックアップおよび前記指板ハムバッカーピックアップに接続された４極５位置スイッチを有することにより、第１の組をなす５つの調性信号のいずれかが前記第１のスイッチ手段の第１および第２の極を介して選択されかつ第２の組をなす５つの調性信号のいずれかが前記第１のスイッチ手段の第３および第４の極を介して選択されるようになっており、更に
　前記第１のスイッチ手段の前記第１および第２の極を介して選択される調性信号または前記第１のスイッチ手段の前記第３および第４の極を介して選択される調性信号を第２のスイッチ手段の出力部に接続する第２のスイッチ手段を備えることを特徴とするギターピックアップ装置。」
　
２　刊行物
　これに対して、原審拒絶理由で引用された、本願の出願日前である１９９２年８月１１日（平成４年８月１１日）に頒布された「米国特許第５１３６９１８号明細書」（以下、「刊行物１」という）には、ギターピックアップスイッチングシステムに関して、図面と共に以下の点が記載されている。
（１）デュアルコイルハムバッカーピックアップ（ブリッジピックアップ）と、ミドルピックアップと、セカンドデュアルコイルハムバッカーピックアップ（フィンガーボードピックアップ）と、所望のピックアップ構成体を選択することにより少なくとも８つの調性信号を選択する２極５位置の第１のスイッチ手段３４ａ，３４ｂと、第１のスイッチ手段のいずれかから得られる調性信号を選択して接続し出力する第２のスイッチ手段３２とを備えたものであること、
（２）上記８つの調性信号は、ブリッジピックアップ２２の双方のコイル（モードＡの位置１）、ピックアップ２２および２４の４つのコイル（モードＡの位置２）、フィンガーボードピックアップ２４の双方のコイル（モードＡの位置３）、ブリッジピックアップ２２スプリットの１つのコイル（モードＢ，位置１）、ブリッジピックアップのシングルコイル３８とミドルピックアップ２８（モードＢ，位置２）、ミドルピックアップ２８（モードＢ、位置３）、フィンガーボードピックアップのシングルコイル４８とミドルピックアップ２８（モードＢ，位置４）、フィンガーボードピックアップシングルコイル４８（モードＢ，位置５）であること
　
３　本願発明と刊行物１に記載された発明（以下、「刊行物発明」という）との対比
　本願発明と刊行物発明を対比すると、
（１）刊行物発明の「デュアルコイルハムバッカーピックアップ（ブリッジピックアップ）」「セカンドデュアルコイルハムバッカーピックアップ（フィンガーボードピックアップ）」「ミドルピックアップ」は、本願発明の「デュアルコイルブリッジハムバッカーピックアップ」「デュアルコイル指板ハムバッカーピックアップ」「中間ピックアップ」にそれぞれ相当する。
　また、刊行物発明は、４極５位置スイッチではないものの、（２極５位置の）第１のスイッチを有しているものであり、モードＡ（本願発明の第１の組に相当）の位置１ないし３に対応する３つの調性信号およびモードＢ（本願発明の第２の組に相当）の位置１ないし５に対応する５つの調性信号による８つの調性信号を上記（２極５位置の）第１のスイッチの極を介して選択して接続し出力する第２スイッチを備えたものといえる。
　そして、刊行物発明の「ギターピックアップスイッチングシステム」は本願発明の「ギターピックアップ装置」に相当する。
（２）したがって、両者は「デュアルコイルブリッジハムバッカーピックアップと、中間ピックアップと、デュアルコイル指板ハムバッカーピックアップと、所望のピックアップ構成体を選択することにより所望の調性信号を選択する第１のスイッチ手段とを備え、該第１のスイッチ手段は前記ブリッジハムバッカーピックアップ、前記中間ピックアップおよび前記指板ハムバッカーピックアップに接続されたスイッチを有することにより、第１の組をなす複数の調性信号のいずれかが前記第１のスイッチ手段の極を介して選択されかつ第２の組をなす５つの調性信号のいずれかが前記第１のスイッチ手段の極を介して選択されるようになっており、更に前記第１のスイッチ手段の極を介して選択される調性信号を第２のスイッチ手段の出力部に接続する第２のスイッチ手段を備えることを特徴とするギターピックアップ装置。」である点で一致し、次の点で相違しているものと認められる。
ア　本願発明は、４極５位置スイッチを有することにより、第１の組をなす５つの調性信号のいずれかが前記第１のスイッチ手段の第１および第２の極を介して選択されかつ第２の組をなす５つの調性信号のいずれかが前記第１のスイッチ手段の第３および第４の極を介して選択されるようになっており、更に前記第１のスイッチ手段の前記第１および第２の極を介して選択される調性信号または前記第１のスイッチ手段の前記第３および第４の極を介して選択される調性信号を第２のスイッチ手段の出力部に接続する第２のスイッチ手段を備えるものであるのに対し、刊行物発明は、上記２（１）（２）及び図面によれば、２極５位置のスイッチを有することにより、第１の組をなす３調性信号のいずれかが前記第１のスイッチ手段の極を介して選択されかつ第２の組をなす５つの調性信号のいずれかが前記第１のスイッチ手段の極を介して選択されるようになっており、更に前記第１のスイッチ手段の極を介して選択される調性信号を第２のスイッチ手段の出力部に接続する第２のスイッチ手段を備えるものである点
　　
４　相違点アについての検討
　ギターのピックアップのコイルを適宜接続して種々の音色を発生させるようにすることは周知（実願昭５２−１８５５４号（実開昭５３−１１４２３１号）のマイクロフィルム、実願昭６２−９４２４０号（実開昭６４−３８９９号）のマイクロフィルム、実願昭６３−１１１２８４号（実開平２−３３０９９号）のマイクロフィルム参照）であるところ、種々の音色をより多く発生させるためにそのピックアップのコイルの接続形態による調性信号を、刊行物発明が具備する８の調性信号から１０の調性信号に増加させる程度のことは当業者にとって格別の創意を要しないものといえ、また、周知の４極５位置スイッチを採用して１０の調性信号を選択することも適宜なし得る設計的事項にすぎない。
　してみると、１０の調性信号を選択するために、４極５位置スイッチを有することにより、第１の組をなす５つの調性信号のいずれかが前記第１のスイッチ手段の第１および第２の極を介して選択されかつ第２の組をなす５つの調性信号のいずれかが前記第１のスイッチ手段の第３および第４の極を介して選択されるようにし、更に前記第１のスイッチ手段の前記第１および第２の極を介して選択される調性信号または前記第１のスイッチ手段の前記第３および第４の極を介して選択される調性信号を第２のスイッチ手段の出力部に接続する第２のスイッチ手段を備えるものとすることは当業者にとって容易に推考しうるものといえ、また、本願発明の効果についてみても、上記構成の採用に伴って当然に予測される程度のものにすぎず、格別顕著なものがあるともいえない。
　
５　むすび
　したがって、本願発明は、刊行物に記載された発明に基いて当業者が容易に発明をすることができたものであるので、請求項２、３に係る発明について検討するまでもなく、本願は、特許法第２９条第２項の規定により特許を受けることができない。
　よって、結論のとおり審決する。